(57)【要約】【課題】画質の低下を抑制できるカートリッジ、および、そのカートリッジが装着された画像形成装置を提供すること。【解決手段】  感光ドラム２０および転写ローラ２１を支持するベースフレーム５２と、感光ドラム２０を被覆するカバーフレーム５３とを備えるドラムカートリッジ１８において、カバーフレーム５３に、感光ドラム２０と転写ローラ２１との間を通過した用紙Ｓを通過させるための排紙開口１２１を形成する。【選択図】図２
2014016490.tif 000002
【特許請求の範囲】
【請求項１】
現像剤像を担持するように構成される像担持体と、
前記像担持体に対して対向配置され、前記像担持体に担持された現像剤像を被記録媒体に転写するように構成される転写部材と、
前記像担持体および前記転写部材を回転可能に支持する第１フレームと、
前記像担持体と前記転写部材との対向部に対して被記録媒体の通過方向下流側に配置され、前記第１フレームに組み合わされる第２フレームと
を備え、
前記第２フレームには、前記対向部を通過した被記録媒体を通過させるための第１開口の少なくとも一部が形成されている
ことを特徴とする、カートリッジ。
【請求項２】
前記第１フレームは、前記転写部材を、前記像担持体に近接する近接方向と前記像担持体から離間する離間方向とに移動可能に支持する
ことを特徴とする、請求項１に記載のカートリッジ。
【請求項３】
前記第１開口は、前記第２フレームに形成されていることを特徴とする、請求項１または２に記載のカートリッジ。
【請求項４】
前記第１フレームには、前記対向部へ向かう被記録媒体を通過させるための第２開口が形成されている
ことを特徴とする、請求項１ないし３のいずれか一項に記載のカートリッジ。
【請求項５】
前記第１フレームは、前記転写部材を支持するための転写部材支持部を備え、
前記第２フレームは、前記転写部材支持部に対して当接される当接部を備え、
前記転写部材支持部は、
前記当接部が当接される被当接部と、
前記被当接部から前記転写部材に向かって突出する突出部と
を備える
ことを特徴とする、請求項１ないし４のいずれか一項に記載のカートリッジ。
【請求項６】
前記第１フレームおよび前記第２フレームのいずれか一方は、前記第１フレームおよび前記第２フレームのいずれか他方に係止される係止部を備え、
前記第１フレームおよび前記第２フレームのいずれか他方は、前記係止部が係止される被係止部を備え、
前記係止部は、前記被係止部に対して、所定の間隔を有して係止される
ことを特徴とする、請求項５に記載のカートリッジ。
【請求項７】
前記係止部は、被記録媒体の通過方向に沿うように、前記第２フレームから前記第１フレームに向かって延び、その先端において、被記録媒体の通過経路に向かって屈曲されている
ことを特徴とする、請求項６に記載のカートリッジ。
【請求項８】
前記第１フレームは、
前記像担持体を支持するための像担持体支持部と、
前記転写部材を支持するための転写部材支持部と、
前記像担持体に現像剤を供給するための現像ユニットが装着可能な現像ユニット装着部と
を備え、
前記転写部材支持部は、前記像担持体支持部に対して、前記現像ユニット装着部の反対側に配置され、
前記現像ユニット装着部は、前記転写部材支持部、前記像担持体支持部および前記現像ユニット装着部の並び方向において、前記転写部材支持部に間隔を隔てて対向する壁部を備える
ことを特徴とする、請求項１ないし７のいずれか一項に記載のカートリッジ。
【請求項９】
請求項１ないし８のいずれか一項に記載のカートリッジと、
前記カートリッジが装着可能な装置本体と、
前記装置本体内において前記カートリッジの前記第１開口に対向配置され、前記第１開口を通過した被記録媒体を加熱して現像剤像を被記録媒体に定着させるための定着装置と
を備え、
前記第２フレームは、前記第１フレームよりも難燃性の高い材料から形成されている
ことを特徴とする、画像形成装置。
【請求項１０】
被記録媒体は、前記像担持体と前記転写部材との間を鉛直下側から鉛直上側へ向かって通過され、
前記定着装置は、前記第１開口の鉛直上側に対向配置されている
ことを特徴とする、請求項９に記載の画像形成装置。
【発明の詳細な説明】
【技術分野】
【０００１】
本発明は、電子写真方式が採用される画像形成装置に装着されるカートリッジ、および、そのカートリッジが装着された画像形成装置に関する。
【背景技術】
【０００２】
電子写真方式が採用される画像形成装置に装着されるカートリッジとして、感光体を有し、現像剤を収容する現像カートリッジを着脱できる感光体カートリッジが知られている。
【０００３】
このような感光体カートリッジとして、例えば、スコロトロン型帯電器およびクリーニング部材が組み付けられた上側筐体が、感光ドラムおよび転写ローラが組み付けられた下側筐体に対して上方から被せられるように組み付けられるドラムカートリッジが提案されている（たとえば、特許文献１参照。）。
【先行技術文献】
【特許文献】
【０００４】
【特許文献１】特開２００６−３０８８０２号公報
【発明の概要】
【発明が解決しようとする課題】
【０００５】
しかるに、特許文献１に記載のドラムカートリッジでは、感光ドラムと転写ローラとの間を通過した用紙は、その後、転写ローラを支持する後側底壁（特許文献１における符号８５）と、下側後壁（特許文献１における符号８７）との間を通過して、定着部へ搬送される。
【０００６】
そのため、転写ローラの駆動による振動が後側底壁に伝わり、感光ドラムと転写ローラとの間を通過した用紙が後側底壁に接触するおそれがある。
【０００７】
感光ドラムと転写ローラとの間を通過した用紙が後側底壁に接触すると、用紙に転写されたトナー像が乱れるなどして、画質が低下するおそれがある。
【０００８】
そこで、本発明の目的は、画質の低下を抑制できるカートリッジ、および、そのカートリッジが装着された画像形成装置を提供することにある。
【課題を解決するための手段】
【０００９】
（１）上記した課題を解決するため、本発明のカートリッジは、現像剤像を担持するように構成される像担持体と、像担持体に対して対向配置され、像担持体に担持された現像剤像を被記録媒体に転写するように構成される転写部材と、像担持体および転写部材を回転可能に支持する第１フレームと、像担持体と転写部材との対向部に対して被記録媒体の通過方向下流側に配置され、第１フレームに組み合わされる第２フレームとを備える。
【００１０】
第２フレームには、対向部を通過した被記録媒体を通過させるための第１開口の少なくとも一部が形成されている。
【００１１】
このような構成によれば、第１フレームとは別体として形成される第２フレームに、第１開口の少なくとも一部が形成されている。
【００１２】
そのため、転写部材の回転に起因して第１フレームが振動した場合でも、その振動が第２フレームに直接伝わることを抑制でき、第１開口の位置を安定させることができる。
【００１３】
これにより、像担持体と転写部材との対向部（像担持体と転写部材との間）を通過した被記録媒体を、第１開口の周縁部などに接触することを抑制しながら、確実に第１開口に通過させることできる。
【００１４】
その結果、被記録媒体に転写された現像剤像が乱れることを抑制でき、ひいては、画質の低下を抑制できる。
（２）また、第１フレームは、転写部材を、像担持体に近接する近接方向と像担持体から離間する離間方向とに移動可能に支持してもよい。
【００１５】
このような構成によれば、像担持体の回転に追従するように転写部材を移動させることができ、転写部材の回転に起因する振動が第１フレームに伝わることを低減することができる。
【００１６】
そのため、第２フレームの振動をより抑制でき、第１開口の位置をより安定させることができる。
【００１７】
その結果、被記録媒体に転写された現像剤像が乱れることをより抑制でき、ひいては、画質の低下をより抑制できる。
（３）また、第１開口は、第２フレームに形成されていてもよい。
【００１８】
このような構成によれば、第１開口が第２フレームのみに形成されているので、第１開口の位置をより安定させることができる。
（４）また、第１フレームには、対向部へ向かう被記録媒体を通過させるための第２開口が形成されていてもよい。
【００１９】
このような構成によれば、像担持体および転写部材に対する第２開口の相対配置の精度を容易に確保することができる。
【００２０】
そのため、被記録媒体を、確実に第２開口に通過させて、像担持体と転写部材との対向部へ供給することできる。
（５）また、第１フレームは、転写部材を支持するための転写部材支持部を備えてもよい。また、第２フレームは、転写部材支持部に対して当接される当接部を備えてもよい。
【００２１】
この場合、転写部材支持部は、当接部が当接される被当接部と、被当接部から転写部材に向かって突出する突出部とを備えてもよい。
【００２２】
このような構成によれば、第１フレームに第２フレームを組み合わせた状態において、転写部材支持部内の転写部材を、第２フレームによって被覆して保護することができる。
【００２３】
ここで、転写部材支持部が第２フレームによって被覆されていると、像担持体と転写部材との間を通過した被記録媒体が転写部材の回転に巻き込まれた場合に、巻き込まれた被記録媒体を取り除くことが困難となる場合がある。
【００２４】
この点、本発明のカートリッジでは、転写部材支持部の被当接部において、転写部材に向かって突出する突出部が設けられている。
【００２５】
そのため、突出部によって、被記録媒体がそれ以上巻き込まれることを規制することができる。
【００２６】
その結果、像担持体と転写部材との間を通過した被記録媒体が転写部材の回転に巻き込まれた場合でも、巻き込まれた被記録媒体を容易に取り除くことできる。
（６）また、第１フレームおよび第２フレームのいずれか一方は、第１フレームおよび第２フレームのいずれか他方に係止される係止部を備えてもよい。また、第１フレームおよび第２フレームのいずれか他方は、係止部が係止される被係止部を備えてもよい。
【００２７】
この場合、係止部は、被係止部に対して、所定の間隔を有して係止されてもよい。
【００２８】
このような構成によれば、第１フレームと第２フレームとを、所定の間隔を有して係止することができる。
【００２９】
そのため、第１フレームと第２フレームとの間隔により、第１フレームから第２フレームへ伝わる振動を低減することができる。
【００３０】
その結果、第２フレームの振動をより抑制でき、第１開口の位置をより安定させることができる。
（７）また、係止部は、被記録媒体の通過方向に沿うように、第２フレームから第１フレームに向かって延び、その先端において、被記録媒体の通過経路に向かって屈曲されていてもよい。
【００３１】
このような構成によれば、搬送中の被記録媒体（第１開口を通過する被記録媒体）が第２フレームに接触するなどして、第２フレームに対して被記録媒体の通過方向に力が加わったとしても、係止部と被係止部との係止が解除されることを防止できる。
【００３２】
そのため、確実に、第１フレームと第２フレームとを係止することができる。
（８）また、第１フレームは、像担持体を支持するための像担持体支持部と、転写部材を支持するための転写部材支持部と、像担持体に現像剤を供給するための現像ユニットが装着可能な現像ユニット装着部とを備えてもよい。また、転写部材支持部は、像担持体支持部に対して、現像ユニット装着部の反対側に配置されてもよい。
【００３３】
この場合、現像ユニット装着部は、転写部材支持部、像担持体支持部および現像ユニット装着部の並び方向において、転写部材支持部に間隔を隔てて対向する壁部を備えてもよい。
【００３４】
このような構成によれば、転写部材支持部と壁部とが並び方向に対向している。
【００３５】
そのため、金型を用いて第１フレームを成形する場合に、成形された第１フレームから金型を、転写部材支持部と壁部との並び方向に離脱させることが、困難な場合がある。
【００３６】
また、転写部材支持部の近傍（特に、並び方向と直交する方向における近傍）に第１開口を形成すると、第１開口が形成されている部分と金型との干渉により、転写部材支持部と壁部との並び方向と直交する方向においても、成形された第１フレームから金型を離脱させることが、困難な場合がある。
【００３７】
この点、本発明のカートリッジでは、上記したように、第１フレームとは別体として形成される第２フレームに、第１開口の少なくとも一部が形成されている。
【００３８】
そのため、第１開口が形成されている部分が金型に干渉することを抑制して、第１フレームから金型を容易に離脱させることができる。
【００３９】
その結果、簡便な方法で、効率よく第１フレームを成形することができる。
（９）また、本発明の画像形成装置は、上記したカートリッジと、カートリッジが装着可能な装置本体と、装置本体内においてカートリッジの第１開口に対向配置され、第１開口を通過した被記録媒体を加熱して現像剤像を被記録媒体に定着させるための定着装置とを備える。
【００４０】
第２フレームは、第１フレームよりも難燃性の高い材料から形成されている。
【００４１】
このような構成によれば、第２フレームの難燃性を確保して、第１開口を定着装置に対して近接させることができる。
【００４２】
そのため、第１開口を通過した被記録媒体を、定着装置に対して確実に搬送することができる。
（１０）また、被記録媒体は、像担持体と転写部材との間を鉛直下側から鉛直上側へ向かって通過されてもよい。
【００４３】
この場合、定着装置は、第１開口の鉛直上側に対向配置されてもよい。
【００４４】
このような構成によれば、被記録媒体の定着装置への搬送途中に、被記録媒体が第１開口の周縁部などに接触すると、被記録媒体の鉛直上側の端部が大きくよれるおそれがある。
【００４５】
この点、上記したように、本発明のカートリッジでは、第１開口の位置を安定させることができるので、定着装置へ搬送される途中の被記録媒体が第１開口の周縁部などに接触することを抑制できる。
【００４６】
そのため、第１開口を通過した被記録媒体を、定着装置に対して、より確実に搬送することができる。
【発明の効果】
【００４７】
本発明のカートリッジによれば、第２フレームの振動を低減することができ、第１開口の位置を安定させることができる。
【００４８】
これにより、像担持体と転写部材との間を通過した被記録媒体を、第１開口の周縁部などに接触することを抑制しながら、確実に第１開口に通過させることできる。
【００４９】
そのため、本発明の画像形成装置では、第１開口を通過した被記録媒体を、被記録媒体に転写された現像剤像が乱れることを抑制しながら、定着装置に対して確実に搬送することができる。
【００５０】
その結果、画質の低下を抑制できる。
【図面の簡単な説明】
【００５１】
【図１】図１は、本発明の画像形成装置の一実施形態としてのプリンタの中央断面図である。
【図２】図２は、図１に示すドラムカートリッジの左後側から見た分解斜視図である。
【図３】図３は、図１に示すドラムカートリッジの右前側から見た分解斜視図である。
【図４】図４は、図１に示すドラムカートリッジの左下側から見た斜視図である。
【図５】図５は、図１に示すドラムカートリッジの後面図である。
【図６】図６は、図１に示すドラムカートリッジを示し、（ａ）は、左側面図であり、（ｂ）は、右側面図である。
【図７】図７は、図５に示すドラムカートリッジのＡ−Ａ断面図である。
【図８】図８は、図５に示すドラムカートリッジのＢ−Ｂ断面図である。
【図９】図９は、ドラムカートリッジの変形例を示し、左後側から見た斜視図である。
【図１０】図１０は、図９に示すドラムカートリッジの中央断面図である。
【発明を実施するための形態】
【００５２】
１．プリンタ
図１に示すように、画像形成装置の一例としてのプリンタ１は、略ボックス形状の装置本体の一例としての本体ケーシング２を備えている。
【００５３】
また、プリンタ１は、本体ケーシング２内において、被記録媒体の一例としての用紙Ｓを給紙するための給紙部３と、給紙された用紙Ｓに画像を形成するための画像形成部４とを備えている。
【００５４】
なお、プリンタ１に関し、方向について言及する場合には、水平方向に載置したときの方向を基準とし、具体的には、図中の矢印方向を基準とする。
（１）本体ケーシング
本体ケーシング２には、プロセスカートリッジ１５（後述）を着脱するためのカートリッジ開口部５と、用紙Ｓを導入するための用紙開口部６とが形成されている。
【００５５】
カートリッジ開口部５は、本体ケーシング２の上端部において、上下方向に貫通形成されている。
【００５６】
用紙開口部６は、本体ケーシング２の前端部における下端部において、前後方向に貫通形成されている。
【００５７】
また、本体ケーシング２には、その上端部に、トップカバー７が設けられ、その前端部に、給紙カバー８が設けられている。
【００５８】
トップカバー７は、その後端部を支点として、カートリッジ開口部５を閉鎖する閉鎖位置と、カートリッジ開口部５を開放する開放位置とに揺動（移動）可能に設けられている。
【００５９】
給紙カバー８は、その下端部を支点として、用紙開口部６を閉鎖する第１位置と、用紙開口部６を開放する第２位置とに揺動（移動）可能に設けられている。
（２）給紙部
給紙部３は、本体ケーシング２の底部に設けられる用紙載置部９を備えている。
【００６０】
用紙載置部９は、用紙開口部６を介して、本体ケーシング２の外部と連通されている。
【００６１】
そして、用紙Ｓは、給紙カバー８が第２位置に配置された状態において、その前側部分が給紙カバー８の上面にスタックされるとともに、その後側部分が用紙開口部６を介して用紙載置部９内にスタックされる。
【００６２】
また、給紙部３は、用紙載置部９の後端部上側に配置されるピックアップローラ１１と、ピックアップローラ１１の後側に配置される給紙ローラ１２と、給紙ローラ１２の後下側に対向配置される給紙パッド１３と、給紙パッド１３の後端部から連続して上方に向かって延びる給紙パス１４とを備えている。
（３）画像形成部
画像形成部４は、プロセスカートリッジ１５と、スキャナユニット１６と、定着装置の一例としての定着ユニット１７とを備えている。
（３−１）プロセスカートリッジ
プロセスカートリッジ１５は、本体ケーシング２に対して着脱可能に構成され、給紙部３の後側部分の上側において、本体ケーシング２に装着されている。
【００６３】
プロセスカートリッジ１５は、本体ケーシング２に対して着脱可能に構成されるカートリッジの一例としてのドラムカートリッジ１８と、そのドラムカートリッジ１８に着脱可能に構成される現像ユニットの一例としての現像カートリッジ１９とを備えている。
【００６４】
ドラムカートリッジ１８は、像担持体の一例としての感光ドラム２０と、転写部材の一例としての転写ローラ２１と、スコロトロン型帯電器２２とを備えている。
【００６５】
感光ドラム２０は、左右方向（直交方向）に長手の略円筒形状に形成されており、ドラムカートリッジ１８の後側部分に設けられている。感光ドラム２０は、その中心軸線を回転中心として回転可能である。
【００６６】
転写ローラ２１は、左右方向に延びる略円柱形状に形成され、感光ドラム２０に対して後側から圧接されている。
【００６７】
詳しくは、転写ローラ２１は、その中心軸線が感光ドラム２０の中心軸線よりも僅かに下側に位置するように、感光ドラム２０の後側に配置されている。なお、転写ローラ２１の下端縁は、感光ドラム２０の下端縁よりも上側に配置されている。具体的には、転写ローラ２１の中心軸線と感光ドラム２０の中心軸線とを結ぶ仮想の線分（図示せず）と、前後方向に沿って水平に延びる仮想の直線（図示せず）とが形成する鋭角の角度は、約３°である。そのため、転写ローラ２１が感光ドラム２０に対して圧接される圧力（転写圧）には、転写ローラ２１の自重が影響しない。
【００６８】
スコロトロン型帯電器２２は、感光ドラム２０の前上側に間隔を隔てて対向配置されている。
【００６９】
詳しくは、スコロトロン型帯電器２２は、転写ローラ２１に対して、感光ドラム２０の周方向に間隔を隔てて配置されており、感光ドラム２０の中心軸線と転写ローラ２１の中心軸線とを結ぶ仮想の線分（図示せず）と、感光ドラム２０の中心軸線と帯電ワイヤ２３（後述）とを結ぶ仮想の線分（図示せず）とが形成する角の角度が約１２０°となるように配置されている。
【００７０】
また、スコロトロン型帯電器２２は、帯電ワイヤ２３と、グリッド２４とを備えている。
【００７１】
帯電ワイヤ２３は、左右方向に延びるように張設され、感光ドラム２０の前上側に間隔を隔てて対向配置されている。
【００７２】
グリッド２４は、前上側に向かって開放された側面視略Ｕ字形状に形成され、帯電ワイヤ２３を後下側から囲うように設けられている。
【００７３】
現像カートリッジ１９は、感光ドラム２０の前下側に配置されており、現像フレーム２５を備えている。
【００７４】
現像フレーム２５内には、トナー収容室２６と、現像室２７とが前後に並んで形成されている。トナー収容室２６と現像室２７とは、それらの容積がそれぞれ略同じに形成され、連通口２８により連通されている。
【００７５】
トナー収容室２６には、トナー（現像剤）が収容され、その前後上下方向略中央部分には、アジテータ２９が設けられている。つまり、アジテータ２９は、感光ドラム２０よりも下側に配置されている。
【００７６】
現像室２７には、その下壁の内面（上面）において、供給ローラ溝３０と、現像ローラ対向面３１と、ロアフィルム貼着面３２とが形成されている。
【００７７】
供給ローラ溝３０は、供給ローラ３３（後述）の周面に沿う略半円形状であって、後下方に向かって窪むように形成されている。
【００７８】
現像ローラ対向面３１は、現像ローラ３４（後述）の周面に沿う略円弧形状であって、供給ローラ溝３０の後端部から連続して後上側に延びるように形成されている。
【００７９】
ロアフィルム貼着面３２は、現像ローラ対向面３１の後端部から連続して後方に向かって延びるように形成されている。つまり、ロアフィルム貼着面３２は、現像ローラ対向面３１よりも上側に配置されている。
【００８０】
また、ロアフィルム貼着面３２は、感光ドラム２０の下側部分に対して上下方向に間隔を隔てて対向配置されており、上下方向に投影したときに、感光ドラム２０の中心軸線と重なるように配置されている。
【００８１】
また、現像室２７には、供給ローラ３３と、現像ローラ３４と、層厚規制ブレード３５と、ロアフィルム３６とが設けられている。
【００８２】
供給ローラ３３は、左右方向に延びる略円柱形状に形成され、その下側部分が供給ローラ溝３０内に配置されるように、現像室２７の前側部分に設けられている。供給ローラ３３の左右方向長さは、用紙Ｓの左右方向長さよりも短く、用紙Ｓ内に形成される印刷領域（印刷可能な最大の領域）の左右方向長さよりも長い。供給ローラ３３は、その中心軸線を回転中心として回転可能である。供給ローラ３３は、トナー収容室２６の後側に配置されており、上下方向においてトナー収容室２６と略同じ高さ（トナー収容室２６よりもわずかに上側）に配置されている。また、供給ローラ３３の回転軸の左右方向両端部には、現像フレーム２５との隙間をシールするためのシール部材（図示せず）が設けられている。シール部材（図示せず）は、前後方向に投影したときに、用紙Ｓの左右方向端部と重なるように配置されている。
【００８３】
現像ローラ３４は、左右方向に延びる略円柱形状に形成され、その下側部分における周面と現像ローラ対向面３１とが互いに間隔を隔てて対向するように、現像室２７の後側部分に設けられている。現像ローラ３４の左右方向長さは、供給ローラ３３の左右方向長さよりも長い。現像ローラ３４は、その中心軸線を回転中心として回転可能である。
【００８４】
また、現像ローラ３４は、供給ローラ３３に後上側から接触するとともに、その上側および後側部分が現像室２７から露出されるように設けられ、感光ドラム２０に対して前下側から接触している。つまり、現像ローラ３４は、供給ローラ３３の後上側に配置されるとともに、感光ドラム２０の前下側に配置されている。そして、供給ローラ３３の中心軸線、現像ローラ３４の中心軸線および感光ドラム２０の中心軸線は、感光ドラム２０の径方向に沿う略同一直線上に位置されている。
【００８５】
また、現像ローラ３４は、スコロトロン型帯電器２２に対して、感光ドラム２０の周方向に間隔を隔てて配置されており、感光ドラム２０の中心軸線と帯電ワイヤ２３とを結ぶ仮想の線分（図示せず）と、感光ドラム２０の中心軸線と現像ローラ３４の中心軸線とを結ぶ仮想の線分（図示せず）とが形成する角の角度が約１２０°となるように配置されている。つまり、現像ローラ３４、スコロトロン型帯電器２２および転写ローラ２１のそれぞれは、感光ドラム２０の周方向において略等間隔を隔てて配置されている。
【００８６】
層厚規制ブレード３５は、その上端部が、現像室２７の上壁の後端部に固定され、その下端部が、現像ローラ３４に前側から接触されている。
【００８７】
ロアフィルム３６は、その後側部分がロアフィルム貼着面３２に固定され、その前端部が、現像ローラ対向面３１の上側において、現像ローラ３４の周面と接触されている。
（３−２）スキャナユニット
スキャナユニット１６は、プロセスカートリッジ１５の前側において、感光ドラム２０と前後方向に間隔を隔てて対向するように配置されている。
【００８８】
スキャナユニット１６は、感光ドラム２０に向けて、画像データに基づいて、レーザービームＬを出射し、感光ドラム２０の周面を露光する。
【００８９】
詳しくは、レーザービームＬは、スキャナユニット１６から後側に向かって出射され、感光ドラム２０の前端部における周面を露光する。つまり、感光ドラム２０が露光される露光点（感光ドラム２０の前端部における周面）は、感光ドラム２０の中心軸線に対して、感光ドラム２０と転写ローラ２１とが接触するニップ部分の反対側に設定されている。
【００９０】
このとき、現像カートリッジ１９は、レーザービームＬの出射軌跡よりも下側に配置され、スコロトロン型帯電器２２は、レーザービームＬの出射軌跡よりも上側に配置されている。
【００９１】
なお、スキャナユニット１６と感光ドラム２０との間に対応する本体ケーシング２の内側面には、プロセスカートリッジ１５の着脱を案内するガイド部３７が設けられている。そして、プロセスカートリッジ１５が本体ケーシング２から離脱されるときには、プロセスカートリッジ１５がガイド部３７にガイドされることにより、ドラムカートリッジ１８に装着される現像カートリッジ１９が、レーザービームＬの出射軌跡を下側から上側に向かって通過する。
【００９２】
このとき、プロセスカートリッジ１５に設けられる各種ローラ（転写ローラ２１、供給ローラ３３および現像ローラ３４）も、レーザービームＬの出射軌跡を下側から上側に向かって通過する。
（３−３）定着ユニット
定着ユニット１７は、ドラムカートリッジ１８の後側部分の上側に配置されている。詳しくは、定着ユニット１７は、スコロトロン型帯電器２２の上側に配置される加熱ローラ３８と、加熱ローラ３８に対して後上側から圧接される加圧ローラ３９とを備えている。
【００９３】
つまり、加熱ローラ３８は、スコロトロン型帯電器２２のグリッド２４の上端部（開放側端部）近傍において、ドラムカートリッジ１８の排紙開口１２１（後述）の上側に対向配置されている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【００９４】
現像ローラ３４に供給されたトナーは、現像ローラ３４の回転に伴って、層厚規制ブレード３５によって厚さが規制され、一定厚さの薄層として現像ローラ３４の表面に担持される。
【００９５】
一方、感光ドラム２０の表面は、スコロトロン型帯電器２２によって一様に帯電された後、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像（現像剤像）が担持される。
【００９６】
用紙載置部９にスタックされた用紙Ｓは、ピックアップローラ１１の回転により、給紙ローラ１２と給紙パッド１３との間に送られ、給紙ローラ１２の回転により１枚ずつ捌かれる。その後、捌かれた用紙Ｓは、給紙ローラ１２の回転により、給紙パス１４に搬送されて、所定のタイミングで１枚ずつ、画像形成部４（感光ドラム２０と転写ローラ２１との間）に給紙される。
【００９７】
そして、用紙Ｓは、感光ドラム２０と転写ローラ２１との間を、下側から上側に向かう方向（通過方向）に搬送される。このとき、用紙Ｓに、トナー像が転写され、画像が形成される。
【００９８】
そして、用紙Ｓは、加熱ローラ３８と加圧ローラ３９との間を通過するときに加熱および加圧される。このとき、用紙Ｓには、画像が熱定着される。
【００９９】
その後、用紙Ｓは、排紙ローラ４０に向けて搬送され、排紙ローラ４０によって、本体ケーシング２の上面に形成された排紙トレイ４１上に排紙される。
【０１００】
このように用紙Ｓは、用紙載置部９から給紙され、感光ドラム２０と転写ローラ２１との間（ニップ部分）を通過し、次いで、加熱ローラ３８と加圧ローラ３９との間を通過した後、排紙トレイ４１上に排紙されるように、側面視略Ｃ字状の搬送パスを搬送される。
２．ドラムカートリッジ
図２に示すように、ドラムカートリッジ１８は、ドラムフレーム５１を備えている。
【０１０１】
ドラムフレーム５１は、第１フレームの一例としてのベースフレーム５２と、第２フレームの一例としてのカバーフレーム５３とを備えている。
【０１０２】
なお、以下のドラムカートリッジ１８の説明において、方向について言及するときには、感光ドラム２０が配置されている側をドラムカートリッジ１８の後側とし、スコロトロン型帯電器２２が配置されている側を上側とする。すなわち、ドラムカートリッジ１８に関する上下前後方向は、プリンタ１に関する上下前後方向と若干異なり、ドラムカートリッジ１８は、その後側がプリンタ１の後上側、その前側がプリンタ１の前下側となるように、プリンタ１に装着されている。
（１）ベースフレーム
ベースフレーム５２は、剛性を有する樹脂材料から、金型を用いた射出成型などの方法により、上側が開放された平面視略矩形の有底枠形状に形成されている。なお、ベースフレーム５２は、その開放端部側（上側）に配置される第１の金型と、ベースフレーム５２に対して第１の金型と反対側（下側）に配置される第２の金型とに挟まれた状態で成型される。その後、ベースフレーム５２は、第１の金型が、開放端部（上端部）を通過するように開放端部側（上側）へ型抜きされるとともに、第２の金型が、開放端部側（上側）に対して反対側（下側）へ向かって型抜きされる。
【０１０３】
また、ベースフレーム５２は、左右１対の側壁５４、下壁５５、後壁５７、および、壁部の一例としての前壁５６を備えている。
【０１０４】
左側の側壁５４（以下、左壁５４Ｌとする。）は、前後方向に長手の略平板形状に形成されている。左壁５４Ｌの後端部には、嵌合凹部６３と、突出壁６６と、対向壁６４と、ドラムギア露出部６９とが形成されている。
【０１０５】
嵌合凹部６３は、左壁５４Ｌの上端縁から下側へ向かって切り欠かれるように、上側が開放された側面視略矩形状に形成されている。
【０１０６】
突出壁６６は、嵌合凹部６３の前側周縁部から上側へ向かって突出する側面視略矩形の平板形状に形成されている。突出壁６６には、受け部６５が設けられている。
【０１０７】
受け部６５は、突出壁６６の上下方向略中央において、その外側（左側）半分の後端縁から後側へ向かってわずかに膨出するように、後面が上下方向に延びる側面視略矩形状に形成されている。
【０１０８】
対向壁６４は、突出壁６６の前側に設けられている。対向壁６４は、左壁５４Ｌの内側（右側）半分において、嵌合凹部６３の内周面および左壁５４Ｌの上端縁から上側へ延びる略平板形状に形成されている。対向壁６４には、ドラム軸挿通穴５８と、ワイヤクリーナ係止部６７とが形成されている。
【０１０９】
ドラム軸挿通穴５８は、対向壁６４の前後方向中央に配置され、側面視略円形状に貫通形成されている。ドラム軸挿通穴５８の内径は、感光ドラム２０のドラム軸８０の外径よりもわずかに大径（ほぼ同径）である。
【０１１０】
ワイヤクリーナ係止部６７は、対向壁６４の上端部から上側へ延びる側面視略矩形の平板形状に形成されている。ワイヤクリーナ係止部６７の上端部には、ワイヤクリーナ係止穴６８が形成されている。
【０１１１】
ワイヤクリーナ係止穴６８は、前後方向に延びる側面視略矩形状に貫通形成されている。
【０１１２】
ドラムギア露出部６９は、嵌合凹部６３の下側において、左壁５４Ｌの後下側端部から後上側へ向かって凹むように、後下側へ向かって開放される側面視略円弧形状の凹部として形成されている。
【０１１３】
図３に示すように、右側の側壁５４（以下、右壁５４Ｒとする。）は、前後方向に長手の略平板形状に形成されている。右壁５４Ｒの後端部には、嵌合凹部６０と、対向壁５９と、受け部６１とが形成されている。
【０１１４】
嵌合凹部６０は、右壁５４Ｒの上端縁から下側へ向かって切り欠かれるように、上側が開放された側面視略半円形状に形成されている。
【０１１５】
対向壁５９は、右壁５４Ｒの内側（左側）半分において、嵌合凹部６０の内周面および右壁５４Ｒの上端縁から上側へ延びる略平板形状に形成されている。対向壁５９には、ドラム軸挿通穴６２が形成されている。
【０１１６】
ドラム軸挿通穴６２は、左右方向に投影したときに左壁５４Ｌのドラム軸挿通穴５８と一致するように、対向壁５９の前後方向中央に配置され、側面視略円形状に貫通形成されている。ドラム軸挿通穴６２の内径は、左壁５４Ｌのドラム軸挿通穴５８と略同径である。
【０１１７】
受け部６１は、嵌合凹部６０の前側において、右壁５４Ｒの外側（右側）半分の上端縁から上側へ向かってわずかに膨出するように、上面が前後方向に延びる側面視略矩形状に形成されている。
【０１１８】
図４に示すように、下壁５５は、両側壁５４の下端部間に架設されるように、左右方向に長手の略平板形状に形成されている。なお、下壁５５の後端部は、ドラムギア露出部６９の前端部の下側に配置されている。
【０１１９】
図２および図４に示すように、後壁５７は、下壁５５の後端部の後側に間隔を隔てて配置され、両側壁５４の後端部間に架設されるように、左右方向に長手の略平板形状に形成されている。後壁５７と下壁５５との間が、感光ドラム２０と転写ローラ２１との間へ向かう用紙Ｓを通過させるための第２開口の一例としての給紙開口７４である。
【０１２０】
また、後壁５７には、転写部材支持部の一例としての転写ローラ支持部７０が設けられている。また、後壁５７には、ドラムギア露出開口７２が形成されている。
【０１２１】
転写ローラ支持部７０は、後壁５７から後側へ膨出するように、左右方向に延びる略部分円筒形状に形成されている。転写ローラ支持部７０は、その左右方向両端部が閉鎖されるとともに、上側および前側へ向かって開放されている。転写ローラ支持部７０の左端部は、左壁５４Ｌよりも左右方向内側（右側）に配置されている。転写ローラ支持部７０の右端部は、右壁５４Ｒよりも左右方向内側（左側）に配置されている。
【０１２２】
また、転写ローラ支持部７０の左右方向両端部には、それぞれ、転写ローラ軸ガイド部７１が１つずつ設けられている。
【０１２３】
転写ローラ軸ガイド部７１は、前後方向に延び、前後両端部が開放された略角筒形状に形成されている。転写ローラ軸ガイド部７１の左右方向内壁には、前後方向（詳しくは、前上側と後下側とを結ぶ方向）に延びるガイド溝７３が貫通形成されている（図８参照）。ガイド溝７３の溝幅（上下方向長さ）は、転写ローラ軸８６（後述）の外径よりもわずかに幅広（ほぼ同幅）である。転写ローラ軸ガイド部７１の上壁には、凹部４９と、傾斜部５０とが形成されている。
【０１２４】
凹部４９は、転写ローラ軸ガイド部７１の後端縁から前側へ向かって凹むように、平面視略矩形状に形成されている。
【０１２５】
傾斜部５０は、右側の転写ローラ軸ガイド部７１の上端部（図２拡大図参照）と、左側の転写ローラ軸ガイド部７１の上端部（図３拡大図参照）とに１つずつ形成されている。傾斜部５０は、転写ローラ軸ガイド部７１の左壁の内面から凹部４９内に膨出するように、平面視略台形状に形成されている。傾斜部５０の後面は、後側から前側へ向かうに従って右側へ傾斜している。
【０１２６】
また、図２および図３に示すように、転写ローラ支持部７０の後側上端部には、突出部の一例としての突条７６と、複数（３つ）の嵌合突起７７と、被係止部の一例としての係止凹部７８とが形成されている。
【０１２７】
突条７６は、両転写ローラ軸ガイド部７１間において、転写ローラ支持部７０の内面（前面）から前側へ向かって突出し、左右方向に延びている。
【０１２８】
複数の嵌合突起７７は、転写ローラ支持部７０の左右方向略中央において、互いに左右方向に等間隔を隔てて並列配置されている。嵌合突起７７は、転写ローラ支持部７０の後側上端部の上面から上側へ向かって突出するように、後面視略矩形状に形成されている。
【０１２９】
係止凹部７８は、転写ローラ支持部７０の左右方向略中央において、転写ローラ支持部７０の後面から前側へ凹む後面視矩形状に形成されている。
【０１３０】
ドラムギア露出開口７２は、転写ローラ支持部７０の左端部と左壁５４Ｌとの間において、ドラムギア露出部６９に対応するように後面視略矩形状（図５参照）に貫通形成されている。
【０１３１】
前壁５６は、下壁５５の前端部から連続して上側へ延び、両側壁５４の前端部間に架設されるように、左右方向に長手の略平板形状に形成されている。つまり、前壁５６は、転写ローラ支持部７０に対して、前後方向に間隔を隔てて対向されている。
【０１３２】
そして、ベースフレーム５２のうち、転写ローラ支持部７０の前側において、右壁５４Ｒの対向壁５９と、左壁５４Ｌの対向壁６４との間の部分が、感光ドラム２０を支持するための像担持体支持部の一例としてのドラム支持部１０１として区画されている。
【０１３３】
また、ベースフレーム５２のうち、ドラム支持部１０１よりも前側（下壁５５と、前壁５６と、右壁５４Ｒおよび左壁５４Ｌの前側部分とによって区画される部分）の部分が、現像カートリッジ１９が装着可能な現像ユニット装着部の一例としての現像カートリッジ装着部１０２として区画されている。
（２）カバーフレーム
カバーフレーム５３は、ベースフレーム５２の後端部の上側に配置されている。カバーフレーム５３は、金型を用いた射出成型などの方法により、難燃性を有する樹脂材料から、左右方向に延び、下側および前側へ向かって開放される略角筒形状に形成されている。
【０１３４】
また、カバーフレーム５３は、左右１対の側壁９１と、上壁９２と、後壁９３とを備えている。
【０１３５】
図２に示すように、左側の側壁９１（以下、左壁９１Ｌとする。）は、上下方向に延びる略平板形状に形成されている。左壁９１Ｌには、嵌合凸部１１１と、位置決め部１１２とが形成されている。
【０１３６】
嵌合凸部１１１は、左壁９１Ｌの下端部から下側へ向かって突出する側面視略矩形状に形成されている。嵌合凸部１１１の上下方向長さ（突出長さ）は、ベースフレーム５２の左壁５４Ｌの嵌合凹部６３の上下方向長さ（深さ）よりもわずかに短い。また、嵌合凸部１１１の前後方向長さは、ベースフレーム５２の左壁５４Ｌの嵌合凹部６３の前後方向長さよりもわずかに短い。また、嵌合凸部１１１には、ドラム軸挿通穴１１３が形成されている。
【０１３７】
ドラム軸挿通穴１１３は、嵌合凸部１１１の前後方向中央において、側面視略円形状に貫通形成されている。ドラム軸挿通穴１１３の内径は、感光ドラム２０のドラム軸８０の外径よりもわずかに大径（ほぼ同径）である。
【０１３８】
位置決め部１１２は、左壁９１Ｌの上下方向略中央において、その前端縁から前側へ向かってわずかに膨出するように、前面が上下方向に延びる側面視略矩形状に形成されている。また、位置決め部１１２の上下方向長さは、ベースフレーム５２の左壁５４Ｌの受け部６５の上下方向長さよりも短い。
【０１３９】
図３に示すように、右側の側壁９１（以下、右壁９１Ｒとする。）は、上下方向に延びる側面視略矩形の平板形状に形成されている。右壁９１Ｒには、嵌合凸部９４と、位置決め部９５とが形成されている。
【０１４０】
嵌合凸部９４は、右壁９１Ｒの下端部から下側へ向かって突出する側面視略半円形状に形成されている。嵌合凸部９４の上下方向長さ（突出長さ）は、ベースフレーム５２の右壁５４Ｒの嵌合凹部６０の上下方向長さ（深さ）よりもわずかに短い。嵌合凸部９４の前後方向長さは、ベースフレーム５２の右壁５４Ｒの嵌合凹部６０の前後方向長さよりもわずかに短い。また、嵌合凸部９４には、ドラム軸挿通穴９６が形成されている。
【０１４１】
ドラム軸挿通穴９６は、左右方向に投影したときに左壁９１Ｌのドラム軸挿通穴１１３と一致するように、嵌合凸部９４の前後方向中央において、側面視略円形状に貫通形成されている。ドラム軸挿通穴９６の内径は、左壁９１Ｌのドラム軸挿通穴１１３の内径と同径である。
【０１４２】
位置決め部９５は、嵌合凸部９４の前側において、右壁９１Ｒの下端縁から下側へ向かってわずかに膨出するように、下面が前後方向に延びる側面視略矩形状に形成されている。また、位置決め部９５の前後方向長さは、ベースフレーム５２の右壁５４Ｒの受け部６１の前後方向長さよりも短い。
【０１４３】
図２に示すように、上壁９２は、両側壁９１の上端部間に架設されるように、左右方向に延び、下側へ向かって開放される略角筒形状（図８参照）に形成されている。上壁９２の内部には、上記したスコロトロン型帯電器２２が支持されている（図８参照）。また、上壁９２には、通気開口１１０と、ワイヤクリーナ係止部挿通穴１１４とが形成されている。
【０１４４】
通気開口１１０は、上壁９２の上端部において、スコロトロン型帯電器２２の帯電ワイヤ２３に沿うように、左右方向に延びる略直線形状に形成されている。
【０１４５】
ワイヤクリーナ係止部挿通穴１１４は、上壁９２の左端部において、左壁９１Ｌとの境界部分に形成されている。ワイヤクリーナ係止部挿通穴１１４は、上壁９２を上下方向に貫通するように、前後方向に長手の平面視略矩形状に形成されている。
【０１４６】
また、上壁９２は、ワイヤクリーナ１１５を支持している。
【０１４７】
ワイヤクリーナ１１５は、上壁９２の上端部において、左右方向にスライド可能に支持されている。ワイヤクリーナ１１５は、平面視略矩形の平板形状に形成されている。また、ワイヤクリーナ１１５は、クリーニング部１１７を備えている（図８参照）。
【０１４８】
クリーニング部１１７は、通気開口１１０を介してグリッド２４内に配置されている（図８参照）。クリーニング部１１７は、スポンジや不織布などの清掃部材１１８を介して帯電ワイヤ２３を挟持している（図８参照）。
【０１４９】
また、ワイヤクリーナ１１５は、係止突起１１６を備えている。
【０１５０】
係止突起１１６は、ワイヤクリーナ１１５の左面から左側へ突出する略角柱形状に形成されている。係止突起１１６の上下方向外寸および前後方向外寸は、ベースフレーム５２のワイヤクリーナ係止穴６８の上下方向内寸および前後方向内寸よりも短い。
【０１５１】
後壁９３は、上壁９２の後端部から連続して後下側へ延び、両側壁９１の後端部間に架設されるように、左右方向に長手の略平板形状に形成されている。後壁９３には、第１開口の一例としての排紙開口１２１と、被覆部１２２とが形成されている。
【０１５２】
排紙開口１２１は、後壁９３の後下側端部から前上側に向かって切り欠かれるように、左右方向に長手の後面視略矩形状に形成されている。排紙開口１２１は、ベースフレーム５２の転写ローラ支持部７０の両転写ローラ軸ガイド部７１間の部分に対応するように、後壁９３の左右方向中央部に形成されている。また、排紙開口１２１の左右方向長さは、転写ローラ支持部７０の両転写ローラ軸ガイド部７１間の部分とほぼ同じ左右方向長さである。排紙開口１２１は、感光ドラム２０と転写ローラ２１との間を通過した用紙Ｓを定着ユニット１７へ向かって通過させるために用いられる。
【０１５３】
被覆部１２２は、排紙開口１２１の後下側端部を閉鎖するように、排紙開口１２１の後下側端部内に架設されている。被覆部１２２は、左右方向に延びる平面視略矩形の平板形状に形成されている。被覆部１２２の左右方向長さは、転写ローラ支持部７０の両転写ローラ軸ガイド部７１間の部分とほぼ同じ左右方向長さである。
【０１５４】
また、被覆部１２２の後端部には、当接部１２５と、複数（３つ）の嵌合穴１２３と、係止部の一例としての係止爪１２４とが形成されている。
【０１５５】
当接部１２５は、被覆部１２２の後端縁から下側へ向かって突出し、左右方向に延びる突条として形成されている。
【０１５６】
複数の嵌合穴１２３は、被覆部１２２の左右方向略中央において、互いに左右方向に等間隔を隔てて並列配置されている。嵌合穴１２３は、平面視略矩形状に貫通形成されている。
【０１５７】
係止爪１２４は、被覆部１２２の左右方向略中央において、被覆部１２２の下面から下側へ突出し、その先端（下端部）において前側へ屈曲する略鉤形状に形成されている。言い換えると、係止爪１２４は、用紙Ｓの通過方向（下側から上側へ向かう方向）に沿うように、カバーフレーム５３からベースフレーム５２に向かって延び、その先端（下端部）において、用紙Ｓの搬送経路（通過経路、図１仮想線参照）に向かうように前側へ屈曲されている。
【０１５８】
係止爪１２４の先端（屈曲された部分）の上下方向および左右方向の外寸は、係止凹部７８の上下方向および左右方向の外寸よりも短い（図５および図７参照）。
（３）転写ローラおよび感光ドラム
ドラムカートリッジ１８には、上記したように、転写ローラ２１および感光ドラム２０が支持されている。なお、ドラムカートリッジ１８の重心は、転写ローラ２１および感光ドラム２０が後端部に支持されている分、前後方向中央よりも後側に偏っている。
【０１５９】
転写ローラ２１は、転写ローラ軸８６と、ローラ本体８５と、転写ローラ軸受８７と、転写ローラ電極８８とを備えている。
【０１６０】
ローラ本体８５は、両転写ローラ軸ガイド部７１間に配置されている。ローラ本体８５は、導電性の軟質樹脂（例えば、ゴムなど）から、左右方向に延びる略円筒形状に形成されている。ローラ本体８５の内径は、転写ローラ軸８６の外径と略同径である。また、ローラ本体８５の左右方向長さは、用紙Ｓの左右方向長さよりも短く、用紙Ｓ内に形成される印刷領域（印刷可能な最大の領域）の左右方向長さよりも長い。
【０１６１】
転写ローラ軸８６は、ローラ本体８５内に相対回転不能に挿通されている。転写ローラ軸８６は、金属から左右方向に延びる略円柱形状に形成されている。また、転写ローラ軸８６は、ローラ本体８５よりも左右方向に長く形成され、その左右両端部は、ローラ本体８５から突出されている。なお、転写ローラ軸８６の左端部の突出長さは、転写ローラ軸８６の右端部の突出長さよりも長い。転写ローラ軸８６の左右両端部は、それぞれ、対応する転写ローラ軸ガイド部７１のガイド溝７３内に相対回転可能に嵌合されて（図８参照）、対応する転写ローラ軸ガイド部７１内に突出されている。これにより、転写ローラ２１は、ガイド溝７３に沿って前後方向（詳しくは、前上側と後下側とを結ぶ方向）に移動可能に、ベースフレーム５２に支持されている。
【０１６２】
転写ローラ軸受８７は、転写ローラ軸８６の左端部に設けられている。転写ローラ軸受８７は、絶縁性の硬質樹脂から、左右方向に延びる略円筒形状に形成されている。転写ローラ軸受８７の内径は、転写ローラ軸８６の外径よりもわずかに大径（ほぼ同径）である。転写ローラ軸受８７は、左側の転写ローラ軸ガイド部７１内において、転写ローラ軸８６に相対回転可能に外嵌（転写ローラ軸８６の径方向外側から嵌合）されている。また、転写ローラ軸受８７の後端部は、上側から見たときに、左側の転写ローラ軸ガイド部７１の凹部４９内に露出されている。
【０１６３】
転写ローラ電極８８は、転写ローラ軸８６の右端部に設けられている。転写ローラ電極８８は、導電性の硬質樹脂から、左右方向に延び、後側へ向かって開放される半円筒形状に形成されている。転写ローラ電極８８の内径は、転写ローラ軸８６の外径よりもわずかに大径（ほぼ同径）である。転写ローラ電極８８は、右側の転写ローラ軸ガイド部７１内において、転写ローラ軸８６に対して、後側から相対回転可能に外嵌（転写ローラ軸８６の径方向外側から嵌合）されている。また、転写ローラ電極８８の後端部は、上側から見たときに、右側の転写ローラ軸ガイド部７１の凹部４９内に露出されている。
【０１６４】
感光ドラム２０は、ドラム本体８１と、フランジ部材８２と、ドラムギア８３と、ドラム軸８０とを備えている。
【０１６５】
ドラム本体８１は、転写ローラ２１の前側において、右壁５４Ｒの対向壁５９と、左壁５４Ｌの対向壁６４との間に配置されている。ドラム本体８１は、左右方向に延びる略円筒形状に形成されている。詳しくは、ドラム本体８１は、左右方向に延びる略円筒形状に形成される金属製の素管と、素管の表面を被覆する樹脂製の感光層とを備えている。ドラム本体８１の左右方向長さは、用紙Ｓの左右方向長さよりも長い。
【０１６６】
フランジ部材８２は、ドラム本体８１の右端部に相対回転不能に嵌合されている。フランジ部材８２は、左右方向に厚みを有する略円板形状に形成されている。また、フランジ部材８２には、その径方向中央部において、ドラム軸８０が挿通される挿通穴（図示せず）が貫通形成されている。
【０１６７】
ドラムギア８３は、ベースフレーム５２の左壁５４Ｌと、転写ローラ支持部７０の左端部との間に配置されるように（図５参照）、ドラム本体８１の左端部に相対回転不能に嵌合されている。ドラムギア８３は、左右方向に厚みを有する略円板形状に形成され、その周面にギア歯を有している。また、ドラムギア８３には、その径方向中央部において、ドラム軸８０が挿通される挿通穴（図示せず）が貫通形成されている。また、ドラムギア８３の後下側端部は、左側面視において左壁５４Ｌのドラムギア露出部６９から露出されるように、ドラムギア露出開口７２を介して後下側へ露出されている（図５および図６（ａ）参照）。
【０１６８】
図４に示すように、ドラム軸８０は、感光ドラム２０の中心軸線に沿うように、ドラム本体８１内に挿通されている。ドラム軸８０は、金属から、左右方向に延びる略円柱形状に形成されている。また、ドラム軸８０は、ドラム本体８１よりも左右方向に長く形成されている。ドラム軸８０の左端部は、ベースフレーム５２の左壁５４Ｌのドラム軸挿通穴５８、および、カバーフレーム５３の左壁９１Ｌのドラム軸挿通穴１１３（図６（ａ）参照）に回転可能に挿通されている。また、ドラム軸８０の右端部は、ベースフレーム５２の右壁５４Ｒのドラム軸挿通穴６２、および、カバーフレーム５３の右壁９１Ｒのドラム軸挿通穴９６（図６（ｂ）参照）に回転可能に挿通されている。
（４）ドラムカートリッジの組み立て
ドラムカートリッジ１８を組み立てるには、図２および図３に示すように、まず、ベースフレーム５２上に、上記したように、転写ローラ２１および感光ドラム２０（ドラム軸８０を除く。）を組み付ける。
【０１６９】
次いで、ベースフレーム５２の後端部に、転写ローラ２１および感光ドラム２０を被覆するように、上側からカバーフレーム５３を組み合わせる。
【０１７０】
詳しくは、まず、カバーフレーム５３の係止爪１２４の先端（下端部）をベースフレーム５２の係止凹部７８内に後側から嵌合させるとともに、カバーフレーム５３の当接部１２５を、ベースフレーム５２の転写ローラ支持部７０の後端部上面に当接させる。すなわち、転写ローラ支持部７０の後側上端部が、当接部１２５が当接される被当接部である。
【０１７１】
このとき、カバーフレーム５３の係止爪１２４の先端（下端部）は、ベースフレーム５２の係止凹部７８内に、上下方向に間隔（係止爪１２４の先端の上下方向外寸と、係止凹部７８の上下方向外寸との差に相当する間隔）を有して嵌合される（図７参照）。
【０１７２】
その後、カバーフレーム５３の右壁９１Ｒの嵌合凸部９４を、ベースフレーム５２の右壁５４Ｒの嵌合凹部６０に嵌合させるとともに、カバーフレーム５３の左壁９１Ｌの嵌合凸部１１１をベースフレーム５２の左壁５４Ｌの嵌合凹部６３に嵌合させる。なお、このとき、ワイヤクリーナ１１５は、カバーフレーム５３の左右方向途中に配置されている。
【０１７３】
すると、ベースフレーム５２の嵌合突起７７は、それぞれ、カバーフレーム５３の対応する嵌合穴１２３内に遊嵌される。また、ベースフレーム５２のワイヤクリーナ係止部６７は、カバーフレーム５３のワイヤクリーナ係止部挿通穴１１４内に挿通される。
【０１７４】
また、カバーフレーム５３の左壁９１Ｌのドラム軸挿通穴１１３は、ベースフレーム５２の左壁５４Ｌのドラム軸挿通穴５８と対向される。また、カバーフレーム５３の右壁９１Ｒのドラム軸挿通穴９６は、ベースフレーム５２の右壁５４Ｒのドラム軸挿通穴６２と対向される。
【０１７５】
また、カバーフレーム５３の左壁９１Ｌの位置決め部１１２は、ベースフレーム５２の左壁５４Ｌの受け部６５の後側に対向配置される（図６（ａ）参照）。また、カバーフレーム５３の右壁９１Ｒの位置決め部９５は、ベースフレーム５２の右壁５４Ｒの受け部６１の上側に対向配置される（図６（ｂ）参照）。
【０１７６】
なお、この後、ワイヤクリーナ１１５をカバーフレーム５３の左端部に配置することにより、ワイヤクリーナ１１５の係止突起１１６をワイヤクリーナ係止部６７のワイヤクリーナ係止穴６８内に係止する。
【０１７７】
次いで、ドラムカートリッジ１８を組み立てるには、ベースフレーム５２およびカバーフレーム５３の各ドラム軸挿通穴（５８、６２、９６、１１３）を介して、フランジ部材８２、ドラムギア８３およびドラム本体８１にドラム軸８０を挿通する。
【０１７８】
すると、ドラム軸８０の左右方向両端部において、感光ドラム２０がベースフレーム５２およびカバーフレーム５３に回転可能に支持される。また、ベースフレーム５２とカバーフレーム５３とは、ドラム軸８０を介して一体的に連結される。
【０１７９】
これにより、ドラムカートリッジ１８の組み立てが完了する。
【０１８０】
図７を参照して、組み立てられたドラムカートリッジ１８において、排紙開口１２１の周縁部に対して上側へ向かう力が加わった場合や、後述するように、感光ドラム２０が回転された場合には、カバーフレーム５３がドラム軸８０を中心として左側面視時計回りにわずかに移動（公差程度の移動）される。
【０１８１】
このとき、係止爪１２４は、略前上側へ移動され、その先端（下端部）がベースフレーム５２の係止凹部７８内により深く嵌合される。
３．プロセスカートリッジへの駆動入力
図１に示すように、本体ケーシング２内にプロセスカートリッジ１５が装着されると、本体ケーシング２内に設けられる金属製の付勢部材１３１が、転写ローラ軸ガイド部７１の傾斜部５０（図３および図７参照）に案内され、転写ローラ軸ガイド部７１の凹部４９（図３および図７参照）を介して、転写ローラ２１の転写ローラ軸受８７および転写ローラ電極８８のそれぞれに後側から当接される。なお、転写ローラ電極８８には、付勢部材１３１を介して、本体ケーシング２内の電源（図示せず）から電力が供給される。
【０１８２】
転写ローラ２１は、付勢部材１３１の付勢力により、感光ドラム２０に向かうように前側へ押圧される（図３および図７参照）。
【０１８３】
また、本体ケーシング２内にプロセスカートリッジ１５が装着されると、本体ケーシング２内に設けられる駆動ギア（図示せず）が、ドラムギア８３（図４参照）に後側から噛合される。
【０１８４】
そして、駆動ギア（図示せず）を介してドラムギア８３に駆動力が入力されると、図６（ａ）中に矢印で示すように、感光ドラム２０が左側面視時計回りに回転する。
【０１８５】
すると、感光ドラム２０の回転により、カバーフレーム５３は、ベースフレーム５２に対して、感光ドラム２０のドラム軸８０を中心として左側面視時計回りに押し付けられる。
【０１８６】
詳しくは、カバーフレーム５３は、左壁９１Ｌの位置決め部１１２において、ベースフレーム５２の左壁５４Ｌの受け部６５に向かって前側へ押し付けられる（図６（ａ）参照）。また、カバーフレーム５３は、右壁９１Ｒの位置決め部９５において、ベースフレーム５２の右壁５４Ｒの受け部６１に向かって下側へ押し付けられる（図６（ｂ）参照）。
【０１８７】
これにより、カバーフレーム５３は、ベースフレーム５２のドラム支持部１０１に対して位置決めされる。
【０１８８】
また、感光ドラム２０が左側面視時計回りに回転すると、転写ローラ２１は、感光ドラム２０の回転に従動し、左側面視反時計回りに回転する。具体的には、転写ローラ２１には、ギア等が設けられておらず、転写ローラ２１は、転写ローラ２１周面と感光ドラム２０周面との圧接により生じる摩擦により回転する。
【０１８９】
このとき、転写ローラ２１は、感光ドラム２０の回転、および、本体ケーシング２内の付勢部材１３１の付勢力により、ガイド溝７３（図９参照）にガイドされながら、感光ドラム２０から離間する後下側（離間方向）と、感光ドラム２０に近接する前上側（近接方向）とに、弾性的にわずかに移動される。
【０１９０】
これにより、転写ローラ２１の回転および移動（前後方向への移動）に起因して、転写ローラ２１を支持する転写ローラ支持部７０がわずかに振動する。
【０１９１】
ここで、カバーフレーム５３は、上記し、図７に示すように、ベースフレーム５２のドラム支持部１０１に対して位置決めされる一方、係止爪１２４の係止凹部７８に対する遊嵌、および、嵌合突起７７の嵌合穴１２３に対する遊嵌により、転写ローラ支持部７０に対して遊びを有して係止されている。
【０１９２】
そのため、転写ローラ支持部７０の振動がカバーフレーム５３に伝達されることが抑制されている。
【０１９３】
これにより、転写ローラ支持部７０の振動が排紙開口１２１に伝達されることが抑制されており、用紙Ｓの定着ユニット１７への搬送経路（図１仮想線参照）に対する排紙開口１２１の相対配置が安定されている。
４．作用効果
（１）このドラムカートリッジ１８によれば、図２に示すように、ベースフレーム５２とは別体として形成されるカバーフレーム５３のみに、排紙開口１２１が形成されている。
【０１９４】
そのため、転写ローラ２１の回転に起因してベースフレーム５２の転写ローラ支持部７０が振動した場合でも、その振動がカバーフレーム５３に直接伝わることを抑制でき、排紙開口１２１の位置を安定させることができる。
【０１９５】
これにより、感光ドラム２０と転写ローラ２１との間を通過した用紙Ｓを、排紙開口１２１の周縁部などに接触することを抑制しながら、確実に排紙開口１２１に通過させることできる。
【０１９６】
その結果、用紙Ｓに転写されたトナー像が乱れることを抑制でき、ひいては、画質の低下を抑制できる。
（２）また、このドラムカートリッジ１８によれば、図９に示すように、感光ドラム２０の回転に追従させて、転写ローラ２１をガイド溝７３に沿って前後に移動させることができる。
【０１９７】
これにより、転写ローラ２１の回転に起因する振動がベースフレーム５２に伝わることを低減することができる。
【０１９８】
そのため、カバーフレーム５３の振動をより抑制でき、排紙開口１２１の位置をより安定させることができる。
【０１９９】
その結果、用紙Ｓに転写されたトナー像が乱れることをより抑制でき、ひいては、画質の低下をより抑制できる。
（３）また、このドラムカートリッジ１８によれば、図４に示すように、ベースフレーム５２には、感光ドラム２０と転写ローラ２１との間へ向かう用紙Ｓを通過させるための給紙開口７４が形成されている。
【０２００】
そのため、感光ドラム２０および転写ローラ２１に対する給紙開口７４の相対配置の精度を容易に確保することができる。
【０２０１】
その結果、用紙Ｓを、確実に給紙開口７４に通過させて、感光ドラム２０と転写ローラ２１との間へ供給することできる。
（４）また、このドラムカートリッジ１８によれば、図３および図５に示すように、ベースフレーム５２にカバーフレーム５３を組み合わせた状態において、転写ローラ支持部７０内の転写ローラ２１を、カバーフレーム５３の被覆部１２２によって被覆して保護することができる。
【０２０２】
ここで、転写ローラ支持部７０がカバーフレーム５３の被覆部１２２によって被覆されていると、感光ドラム２０と転写ローラ２１との間を通過した用紙Ｓが転写ローラ２１の回転に巻き込まれた場合に、巻き込まれた用紙Ｓを取り除くことが困難となる場合がある。
【０２０３】
この点、このドラムカートリッジ１８では、図７に示すように、転写ローラ支持部７０の後側上端部において、転写ローラ２１に向かって内側（前側）へ突出する突条７６が設けられている。
【０２０４】
そのため、突条７６によって、用紙Ｓがそれ以上巻き込まれることを規制することができる。
【０２０５】
その結果、感光ドラム２０と転写ローラ２１との間を通過した用紙Ｓが転写ローラ２１の回転に巻き込まれた場合でも、巻き込まれた用紙Ｓを容易に取り除くことできる。
（５）また、このドラムカートリッジ１８によれば、図７に示すように、カバーフレーム５３の係止爪１２４は、ベースフレーム５２の係止凹部７８に対して、上下方向にわずかに間隔を有して係止されている。
【０２０６】
そのため、ベースフレーム５２の転写ローラ支持部７０と、カバーフレーム５３の被覆部１２２とを、わずかに間隔を有して係止することができる。
【０２０７】
これにより、係止爪１２４と係止凹部７８との上下方向間隔において、ベースフレーム５２の転写ローラ支持部７０からカバーフレーム５３の被覆部１２２への振動の伝達を抑制することができる。
【０２０８】
その結果、カバーフレーム５３の振動をより抑制でき、排紙開口１２１の位置をより安定させることができる。
（６）また、このドラムカートリッジ１８によれば、図７に示すように、係止爪１２４は、カバーフレーム５３からベースフレーム５２に向かって下側へ延び、その先端において、用紙Ｓの通過経路に向かうように前側へ屈曲されている。
【０２０９】
そのため、搬送中の用紙Ｓがカバーフレーム５３に接触するなどして、カバーフレーム５３に対して用紙Ｓの搬送方向に力が加わった場合に、係止爪１２４の先端（下端部）をベースフレーム５２の係止凹部７８内により深く嵌合させることができる。
【０２１０】
その結果、確実に、ベースフレーム５２とカバーフレーム５３とを係止することができる。
（７）また、このドラムカートリッジ１８によれば、図２に示すように、ベースフレーム５２の前端部において、転写ローラ支持部７０に対して前後方向に間隔を隔てて対向する前壁５６を備えている。
【０２１１】
そのため、第１の金型（上側の金型）と第２の金型（下側の金型）とで上下方向から挟むようにベースフレーム５２を成形した場合に、第１の金型を、成形されたベースフレーム５２から前後方向（転写ローラ支持部７０と前壁５６との並び方向）に離脱させることが困難な場合がある。
【０２１２】
また、転写ローラ支持部７０の近傍（特に、上側近傍）において、ベースフレーム５２に排紙開口１２１を形成した場合には、排紙開口１２１が形成されている部分と第１の金型との干渉により、第１の金型を、成形されたベースフレーム５２から上側へ離脱させることが困難な場合がある。
【０２１３】
この点、このドラムカートリッジ１８では、上記したように、ベースフレーム５２とは別体として形成されるカバーフレーム５３に、排紙開口１２１が形成されている。
【０２１４】
そのため、排紙開口１２１が形成されている部分が第１の金型に干渉することを抑制して、第１の金型を、ベースフレーム５２の上端部を通過するように、容易に離脱させることができる。
【０２１５】
その結果、簡便な方法で、効率よくベースフレーム５２を成形することができる。
（８）また、このプリンタ１によれば、図１に示すように、ドラムカートリッジ１８の排紙開口１２１は、本体ケーシング２内において定着ユニット１７に対向配置されている。
【０２１６】
そして、ドラムカートリッジ１８のカバーフレーム５３は、ベースフレーム５２よりも難燃性の高い材料から形成されている。
【０２１７】
そのため、カバーフレーム５３の難燃性を確保して、排紙開口１２１を定着ユニット１７に対して近接させることができる。
【０２１８】
その結果、排紙開口１２１を通過した用紙Ｓを、定着ユニット１７に対して確実に搬送することができる。
（９）また、このプリンタ１によれば、図１に示すように、定着ユニット１７は、排紙開口１２１の鉛直上側に対向配置されている。そして、用紙Ｓは、感光ドラム２０と転写ローラ２１との間を鉛直下側から鉛直上側へ向かって通過される。
【０２１９】
そのため、用紙Ｓの定着ユニット１７への搬送途中に、用紙Ｓが排紙開口１２１の周縁部などに接触すると、用紙Ｓの鉛直上側の端部が大きくよれるおそれがある。
【０２２０】
この点、このドラムカートリッジ１８では、排紙開口１２１の位置を安定させることができるので、定着ユニット１７へ搬送される途中の用紙Ｓが排紙開口１２１の周縁部などに接触することを抑制できる。
【０２２１】
そのため、排紙開口１２１を通過した用紙Ｓを、定着ユニット１７に対して、より確実に搬送することができる。
５．変形例
（１）図９および図１０を参照して、ドラムカートリッジ１８の変形例を説明する。なお、図９および図１０において、上記した実施形態と同様の部材には同じ符号を付し、その説明を省略する。
【０２２２】
上記した実施形態では、カバーフレーム５３は、排紙開口１２１の下端部内において、転写ローラ支持部７０を被覆するための被覆部１２２を一体的に備えている。
【０２２３】
対して、この変形例では、図９および図１０に示すように、カバーフレーム５３に被覆部１２２を設けないで、転写ローラ支持部７０を被覆する被覆部材１３１を、カバーフレーム５３とは別体として構成する。
【０２２４】
被覆部材１３１は、転写ローラ２１を上側から被覆するように、転写ローラ支持部７０の上端部に組み付けられている。被覆部材１３１は、左右方向に延びる平面視略矩形の平板形状に形成されている。被覆部材１３１の左右方向長さは、転写ローラ支持部７０の両転写ローラ軸ガイド部７１間の部分とほぼ同じ左右方向長さである。
【０２２５】
この変形例においても、上記した実施形態と同様の作用効果を得ることができる。
（２）上記したプリンタ１は、本発明の画像形成装置の一実施形態であり、本発明は、上記した実施形態に限定されない。
【０２２６】
本発明の画像形成装置には、上記したモノクロプリンタの他、カラープリンタとして構成することもできる。
【０２２７】
画像形成装置をカラープリンタとして構成する場合には、複数の感光体と記録媒体搬送部材とを備えるダイレクト方式のタンデム型カラープリンタや、複数の感光体と、中間転写体と、転写部材とを備える中間転写方式のタンデム型カラープリンタとして構成することができる。
【０２２８】
また、プロセスカートリッジ１５は、上記したようなドラムカートリッジ１８と現像カートリッジ１９とが分離する分離型の他、ドラムカートリッジ１８と現像カートリッジ１９とを一体的に備える一体型として構成することもできる。
【０２２９】
さらに、本体ケーシング２にドラムカートリッジ１８が装着された状態で、現像カートリッジ１９のみを本体ケーシング２に対して着脱させることもできる。
【０２３０】
さらに、現像カートリッジ１９は、現像ローラ３４を有するフレームに対し、トナーが収容されるトナーカートリッジが着脱自在に装着されるように構成することもできる。
【０２３１】
また、像担持体としては、上記した感光ドラム２０の他、例えば、感光ベルトなどを適用することもできる。
【０２３２】
また、上記した現像ローラ３４に代えて、例えば、現像スリーブ、現像ベルト、ブラシ状のローラなどの現像剤担持体を適用することもできる。
【０２３３】
また、上記した供給ローラ３３に代えて、例えば、供給スリーブ、供給ベルト、ブラシ状のローラなどの供給部材を適用することもできる。
【０２３４】
また、上記したアジテータ２９に代えて、例えば、オーガスクリューや搬送ベルトなどの搬送部材を適用することもできる。
【０２３５】
また、転写部材としては、上記した転写ローラ２１の他、例えば、転写ベルト、転写ブラシ、転写ブレード、フィルム型転写装置などの接触型の転写部材や、例えば、コロトロンタイプなどの非接触型の転写部材などを適用することもできる。
【０２３６】
また、上記したスコロトロン型帯電器２２に代えて、例えば、コロトロン型帯電器、鋸歯状の放電部材などの非接触型の帯電器や、帯電ローラなどの接触型の帯電器などを適用することもできる。
【０２３７】
また、上記したスキャナユニット１６に代えて、ＬＥＤユニットなどの露光部材を適用することもできる。
【０２３８】
さらに、本発明の画像形成装置は、画像読取部などを装備して、複合機として構成することもできる。
【符号の説明】
【０２３９】
１      プリンタ
２      本体ケーシング
１７    定着ユニット
１８    ドラムカートリッジ
１９    現像カートリッジ
２０    感光ドラム
２１    転写ローラ
５２    ベースフレーム
５３    カバーフレーム
５６    前壁
７０    転写ローラ支持部
７４    給紙開口
７６    突条
７８    係止凹部
１０１  ドラム支持部
１０２  現像カートリッジ装着部
１２１  排紙開口
１２４  係止爪
１２５  当接部
【図１】
2014016490.tif 000003
【図２】
2014016490.tif 000004
【図３】
2014016490.tif 000005
【図４】
2014016490.tif 000006
【図５】
2014016490.tif 000007
【図６】
2014016490.tif 000008
【図７】
2014016490.tif 000009
【図８】
2014016490.tif 000010
【図９】
2014016490.tif 000011
【図１０】
2014016490.tif 000012